(57)【要約】【課題】小型化を図る上で有利な光学素子を提供する。【解決手段】光学素子４０は、容器４２と、第１の液体４４と、第２の液体４６と、電圧印加手段を含んで構成されている。第１の液体４４は、有極性または導電性を有し容器４２に封入されている。第２の液体４６は、第１の液体４４と互いに混合しないものであり容器４２に封入されている。また、第１の液体４４と第２の液体４６は等しい比重を有しかつ第１の液体４４の透過率は第２の液体４６の透過率よりも低くなるように形成されている。側面壁４２０４の内面で第１の液体４４が位置する部分に親水膜５８が形成され、側面壁４２０４の内面で第２の液体４６が位置する部分に撥水膜６０が形成されている。【選択図】図１
2006250977.tif 000002
【特許請求の範囲】
【請求項１】
厚さ方向において互いに対向する端面壁と、前記両端面壁を接続する側面壁とを有する密閉された容器と、
前記容器に封入された有極性または導電性を有する第１の液体と、
前記容器に封入され前記第１の液体と互いに混合しない第２の液体と、
前記第１の液体に電圧を印加する電圧印加手段とを備え、
前記第１の液体と第２の液体は等しい比重を有しかつ前記第１の液体の透過率は第２の液体の透過率よりも低く形成され、
前記電圧印加手段による電圧印加によりそれら前記第１の液体と第２の液体の界面が変形し、前記端面壁を通り前記容器の厚さ方向に延在する光の透過路が形成される光学素子であって、
前記側面壁の内面で前記第１の液体が位置する部分に、前記第１の液体に対する濡れ性が前記第２の液体に対する濡れ性よりも高く形成された親水膜が形成され、
前記側面壁の内面で前記第２の液体が位置する部分に、前記第２の液体に対する濡れ性が前記第１の液体に対する濡れ性よりも高く形成された撥水膜が形成されている、
ことを特徴とする光学素子。
【請求項２】
前記界面は、前記厚さ方向と交差する面上に形成され、前記親水膜は、前記第１の液体が位置する前記側面壁箇所の内面の全周に設けられ、前記撥水膜は、前記第２の液体が位置する前記側面壁箇所の内面の全周に設けられていることを特徴とする請求項１記載の光学素子。
【請求項３】
前記電圧印加手段は、前記側面壁の内面の全周に設けられた第１の電極と、前記第１の液体が位置する側の前記端面壁の内面の外周に設けられた第２の電極とを含んで構成され、前記親水膜および撥水膜は前記第１の電極の表面を覆うように設けられていることを特徴とする請求項１記載の光学素子。
【請求項４】
前記電圧印加手段は、前記側面壁の内面の全周に設けられた第１の電極と、前記第１の液体が位置する側の前記端面壁の内面の外周に設けられた第２の電極とを含んで構成され、前記親水膜および撥水膜は前記第１の電極の表面を覆うように設けられ、前記第１の液体が位置する側の前記端面壁の内面で前記第２の電極の内側部分に、前記第１の液体に対する濡れ性が前記第２の液体に対する濡れ性よりも高く形成された前記親水膜とは別の親水膜が形成されていることを特徴とする請求項１記載の光学素子。
【発明の詳細な説明】
【技術分野】
【０００１】
本発明は光学素子に関する。
【背景技術】
【０００２】
電気毛管現象（エレクトロウエッティング現象）を用いて透過する光量の調整を行う光学素子が提案されている（特許文献１参照）。
この光学素子１０では、図１２（Ａ）に示すように、厚さ方向において互いに対向する端面壁１２と、両端面壁１２を接続する側面壁１４とを有する密閉された容器１６と、容器１６に封入された有極性または導電性を有する第１の液体２０と、容器１６に封入され第１の液体２０よりも透過率が高い第２の液体２２とを備えている。
そして、第１の液体２０と第２の液体２２として互いに混合しない性状のものを用い、かつ、第１の液体２０と第２の液体２２として互いに比重の等しいものを用い、容器１６内に空気などを混入せずにそれら第１の液体２０と第２の液体２２のみを封入すると、容器１６を回転させても揺らしても第１の液体２０と第２の液体のみを容器１６に封入した当初の状態が維持され、界面２４が端面壁１２にほぼ平行した状態が維持される。
図中符号２８は第１の液体２０に電圧を印加するための電極、３０は電極２８を覆う絶縁膜である。
そして、前記電圧印加手段によって第１の液体２０に電圧を印加することにより電気毛管現象によってそれら第１の液体２０と第２の液体２２の界面２４を図１２（Ａ）に実線と破線で示す間にわたって変形させ、これにより端面壁１２を通り容器１６の厚さ方向に延在する光の透過路１８を形成させるように構成されている。
具体的には、印加電圧が零の状態では光の透過方向と直交する方向の全域に図１２（Ａ）に実線で示すように第１の液体２０が延在することで光の透過を阻止、あるいは、減少させ、印加電圧を上昇させると図１２（Ａ）に破線で示すように第２の液体２２を両方の端面壁１２に接触することで透過路１８が形成され、印加電圧を調整することで第２の液体２２と一方の端面壁１２との接触面積を増減させ透過路１８の大きさを調整するようにしている。
【特許文献１】特開２００１−２２８３０７号公報
【発明の開示】
【発明が解決しようとする課題】
【０００３】
このような従来の光学素子１０では、側面壁１４の内面に第１、第２の液体２０、２２の動きを円滑にするための撥水膜２６が形成されている。そして、第１の液体２０が撥水膜２６に対してなす接触角θは両者の特性によって決定され、接触角θは９０度より小さい値である。
ところで、図１２（Ｂ）に示すように、光学素子１０の光の透過方向における寸法（厚さ方向における寸法）を縮小していくと、電圧を印加しない状態で第１の液体２０が光の透過方向と直交する方向の全域にわたって延在することにより光の透過路１８を遮断することができても、図１２（Ｃ）に示すように、電圧を印加した状態で第２の液体２２が一方の端面壁１２にしか接触することができず、光の透過路１８を形成することができない場合が生じる。
このような現象は、第１の液体２０が撥水膜２６に対してなす接触角θが９０度より小さい値であり、界面２４が第１の液体２０から第２の液体２２に対して厚さ方向に凸状を呈した曲面（球面を含む）を形成することに起因している。
このように、従来は、電気毛管現象（エレクトロウエッティング現象）を用いて透過する光量の調整を行う光学素子１０の光の透過方向における寸法（厚さ方向における寸法）の小型化を図る上で限界があった。
一方、このような光学素子１０が搭載される撮像装置は小型化が求められており、光学素子１０の光の透過方向における寸法（厚さ方向における寸法）の小型化を如何に図るかが大きな問題となっている。
本発明はこのような事情に鑑みなされたものであり、その目的は、小型化を図る上で有利な光学素子を提供することにある。
【課題を解決するための手段】
【０００４】
上述の目的を達成するため、本発明は、厚さ方向において互いに対向する端面壁と、前記両端面壁を接続する側面壁とを有する密閉された容器と、前記容器に封入された有極性または導電性を有する第１の液体と、前記容器に封入され前記第１の液体と互いに混合しない第２の液体と、前記第１の液体に電圧を印加する電圧印加手段とを備え、前記第１の液体と第２の液体は等しい比重を有しかつ前記第１の液体の透過率は第２の液体の透過率よりも低く形成され、前記電圧印加手段による電圧印加によりそれら前記第１の液体と第２の液体の界面が変形し、前記端面壁を通り前記容器の厚さ方向に延在する光の透過路が形成される光学素子であって、前記側面壁の内面で前記第１の液体が位置する部分に、前記第１の液体に対する濡れ性が前記第２の液体に対する濡れ性よりも高く形成された親水膜が形成され、前記側面壁の内面で前記第２の液体が位置する部分に、前記第２の液体に対する濡れ性が前記第１の液体に対する濡れ性よりも高く形成された撥水膜が形成されていることを特徴とする。
【発明の効果】
【０００５】
本発明によれば、電圧印加が無いときに、第１、第２の液体の界面が平坦面を呈しているので、光学素子の光の透過方向における寸法を縮小しても、従来と違って、電圧を印加した状態で第２の液体を２つの端面壁の双方に確実に接触させることができる。
したがって、電圧を印加した状態で光の透過路を確実に形成することができ光学素子の小型化、薄型化を図る上で有利となる。
【発明を実施するための最良の形態】
【０００６】
容器の側面壁の内面で第１の液体が位置する部分に親水膜を形成し、側面壁の内面で第２の液体が位置する部分に撥水膜を形成することによって上記目的を実現した。
【実施例１】
【０００７】
次に本発明の実施例１について図面を参照して説明する。
まず、本発明の光学素子が用いる電気毛管現象（エレクトロウエッティング現象）の原理について説明する。
図２は電気毛管現象の原理説明図であり、（Ａ）は電圧印加前の状態を示す図、（Ｂ）は電圧印加後の状態を示す図である。
図２（Ａ）に示すように、基板１の表面上に第１の電極２が形成され、この電極２の表面に絶縁膜３が形成されている。
この絶縁膜３の表面に有極性または導電性を有する第１の液体４が位置しており、第１の液体４には第２の電極５が電気的に接続されている。
図２（Ａ）に示すように、第１の電極２と第２の電極５との間に電圧Ｅが印加されていない状態では、第１の液体４は表面張力によってその表面が上方に凸のほぼ球面をなしている。このときに絶縁膜３の表面と、第１の液体４が絶縁膜３に接触している部分における液面の角度θ、すなわち接触角θをθ０とする。
ところが、図２（Ｂ）に示すように、第１の電極２と第２の電極５との間に電圧Ｅが印加された状態では、絶縁膜３の表面に例えばプラス電荷が帯電することで第１の液体４を構成する分子に電界（静電気力）が作用する。これにより、第１の液体４を構成する分子が引き寄せされることで、第１の液体４の絶縁膜３に対する濡れ性が良くなり、接触角θはθ０よりも小さなθ１となる。また、接触角θは電圧Ｅの値が大きくなるに従って小さくなる。
このような現象を電気毛管現象という。
【０００８】
次に、実施例１の光学素子４０について説明する。
図１は実施例１における光学素子４０の構成を示す断面図である。
図１に示すように、光学素子４０は、容器４２と、第１の液体４４と、第２の液体４６と、電圧印加手段を含んで構成されている。
容器４２は、厚さ方向において互いに対向する端面壁４２０２と、両端面壁４２０２を接続する側面壁４２０４とを有し、それら両端面壁４２０２と側面壁４２０４とにより密閉された収容室４２Ａを有している。
本実施例では、端面壁４２０２は円板状を呈し、側面壁４２０４は端面壁４２０２の外径と同じ寸法の外径を有する円筒状を呈し、収容室４２Ａは扁平な円柱状を呈している。
また、端面壁４２０２および側面壁４２０４は、絶縁性を有する材料で形成され、さらに、端面壁４２０２は光を透過する透明な材料で形成されている。
端面壁４２０２を構成する材料として、例えば、透明で絶縁性を有する合成樹脂材料あるいは透明なガラス材料を用いることができる。
側面壁４２０４の内側には側面壁４２０４の全周に沿って第１の電極４８（負極電極）が円筒状に延在形成され、第１の電極４８の内側には第１の電極４８の全域を覆うように第１の電極４８の全周に沿って絶縁膜５０が円筒状に延在形成されている。
【０００９】
２つの端面壁４２０４のうちの一方の端面壁４２０４の内面の外周寄りの箇所には、該一方の端面壁４２０４と同心円状に環状の第２の電極５２（正極電極）が延在形成され、第２の電極５２はその内周部分が収容室４２Ａ内に露出するとともに、第２の電極５２は絶縁膜５０により第１の電極４８と絶縁されている。
２つの端面壁４２０４のうちの一方の端面壁４２０４の内面のうち第２の電極５０の内側全域に光を透過する透明な親水膜５４が形成されている。親水膜５４は第１の液体４４に対する濡れ性が第２の液体４６に対する濡れ性よりも高くなるように形成されている。
容器４２の外部には出力電圧が可変の電源５６が設けられ、電源５６の負電圧出力端子が第１の電極４８に電気的に接続され、電源５６の正電圧出力端子が第２の電極５２に電気的に接続されている。
本実施例では、第１の電極４８、第２の電極５２、電源５６によって前記電圧印加手段が構成されている。
【００１０】
第１の液体４４は、有極性または導電性を有し容器４２に封入されている。
第２の液体４６は、第１の液体４４と互いに混合しないものであり容器４２に封入されている。
また、第１の液体４４と第２の液体４６は等しい比重を有しかつ第１の液体４４の透過率は第２の液体４６の透過率よりも低くなるように形成されている。
第１の液体４４および第２の液体４６については後で詳述する。
【００１１】
側面壁４２０４の内面で第１の液体４４が位置する部分に親水膜５８が形成され、側面壁４２０４の内面で第２の液体４６が位置する部分に撥水膜６０が形成されている。
親水膜５８は第１の液体４４に対する濡れ性が第２の液体４６に対する濡れ性よりも高くなるように構成されたものであり、言い換えると、親水膜５８に対する第１の液体４４の接触角は、親水膜５８に対する第２の液体４６の接触角よりも小さい値となるように構成されている。
親水膜５８は、例えば親水性ポリマーや界面活性剤を側面壁４２０４の内面に塗布することで形成することができ、従来公知の様々な材料を採用可能である。
撥水膜６０は第２の液体４６に対する濡れ性が第１の液体４４に対する濡れ性よりも高くなるように構成されている。言い換えると、撥水膜６０に対する第２の液体４６の接触角は、撥水膜６０に対する第１の液体４４の接触角よりも小さい値となるように構成されている。
撥水膜６０は、例えばフッ化化合物などからなる撥水処理剤を側面壁４２０４の内面に塗布することで形成することができ、従来公知の様々な材料を採用可能である。
【００１２】
容器４２の収容室４２Ａには、まず、撥水膜６０が設けられた側の端面壁４２０２上に第２の液体４６がその液面が撥水膜６０の上縁に位置するように注入され、その上に第１の液体４４が注入され、収容室４２Ａから空気を抜いてそれら第２の液体４６および第１の液体４４が容器４２内に封入される。
これにより、第１の液体４４が位置する端面壁４２０２の内面の外周全周に位置する第１の液体４４箇所の全域は、第２の電極５２に接触することで第２の電極５２に電気的に接続された状態となり、かつ、収容室４２Ａの外周全周に位置する第１の液体４４の箇所の全域は、絶縁膜５０、親水膜５８、撥水膜６０を介して第１の電極４８に臨んだ状態となる。
したがって、電源５６から第１の電極４８、第２の電極５２に電圧が印加されると、第１の液体４４に電圧が印加されることになる。
【００１３】
次に、光学素子４０の動作について説明する。
図３は光学素子４０に電圧が印加されていない状態を示す説明図、図４は光学素子４０に第１の電圧Ｅ１が印加された状態を示す説明図、図５は光学素子４０に第１の電圧よりも大きい値の第２の電圧Ｅ２が印加された状態を示す説明図、図６は光学素子４０に第２の電圧よりも大きい値の第３の電圧Ｅ３が印加された状態を示す説明図である。
電源５６から第１の電極４８、第２の電極５２に電圧が印加されない状態（Ｅ＝０Ｖ）では、図３に示すように、収容室４２Ａの外周全周に位置する第１の液体４４の箇所の全域は親水膜５８の表面に接触しその接触角は９０度となり、収容室４２Ａの外周全周に位置する第２の液体４６の箇所の全域は撥水膜６０の表面に接触しその接触角は９０度となっている。
したがって、第１の液体４４と第２の液体４６の間に形成される界面６２は平坦面を呈している。
この際、第１の液体４４が光の透過方向と直交する方向の全域にわたって延在することにより容器４０の厚さ方向に進行する光は遮断された状態となる。
【００１４】
電源５６から第１の電極４８、第２の電極５２に電圧Ｅ１が印加されると（Ｅ１＞０Ｖ）、図４に示すように、電気毛管現象により、界面６２が第２の液体５０から第１の液体４８に向かって凸状の曲面（球面）となるように変形し、界面６２の中央が一方の端面壁４２０２に近づいた形状となる。言い換えると、第１の液体４４の厚さの寸法は中央が最も小さく（薄く）、中央から収容室４２Ａの外周に離れるに従って厚さの寸法が大きく（厚く）なる。
この際の第１の液体４４の撥水膜６０に対する接触角は９０度よりも小さなものとなり、側面壁４２０４（撥水膜６０）の部分では第１の液体４４が側面壁４２０４に沿って第２の液体４６に進入している。
【００１５】
第１の電圧よりも大きい値の第２の電圧Ｅ２が電源５６から第１の電極４８、第２の電極５２に印加されると（Ｅ２＞Ｅ１）、図５に示すように、界面６２の凸状の曲面（球面）の湾曲の傾斜が大きくなり、界面６２の中央が一方の端面壁４２０２（親水膜５４）に接触する。
これにより、端面壁４２０２（親水膜５４）上で界面６２が接触している領域には、第１の液体４４が存在しなくなり、収容室４２Ａの中央に（両端面壁４２０２の中央に）第２の液体４６のみが存在する領域６４が形成され、この領域６４により端面壁４２０２を通り容器４２の厚さ方向に延在する光の透過路６６が形成される。
【００１６】
第２の電圧よりも大きい値の第３の電圧Ｅ３が電源５６から第１の電極４８、第２の電極５２に印加されると（Ｅ３＞Ｅ２）、図６に示すように、界面６２の凸状の曲面（球面）の湾曲の傾斜がさらに大きくなる。
そして、収容室４２Ａの中央に（両端面壁４２０２の中央に）形成された第２の液体４６のみが存在する領域６４の直径が拡大され、光の透過路６６の直径が拡径される。
したがって、電源５６から第１の電極４８、第２の電極５２に印加される電圧を調整することで、第２の液体４６のみが存在する領域６４の直径を拡大および縮小させることができ、光の透過路６６の直径を拡径および縮径する絞り動作を行うことができる。
【００１７】
本実施例によれば、電圧印加が無いときに、第１の液体４４が親水膜５８および撥水膜６０に対してなす接触角θが９０度であり、かつ、第２の液体４６が親水膜５８および撥水膜６０に対してなす接触角が９０度であり、界面６２が平坦面を呈しているので、光学素子４０の光の透過方向における寸法（厚さ方向における寸法）を縮小しても、従来と違って、電圧を印加した状態で第２の液体２２を２つの端面壁４２０２の双方に確実に接触させることができる。
したがって、電圧を印加した状態で光の透過路６６を確実に形成することができ薄型化を図る上で有利となる。
また、従来のように、電圧印加が無い状態で、第１、第２の液体２０、２２の界面６２が第１の液体４４が第２の液体４６に対して凸状の曲面を呈している場合には（図１０（Ａ）参照）、第２の液体４６が第１の液体４４と第１の電極４８の間に介在する現象が生じ、したがって、第１の電極４８から印加される電圧が第２の液体４６によって邪魔されるため第１の液体４４に電圧が印加されにくく、第１の液体４４における電気毛管現象を確実に生じさせることができず、絞り動作の安定化を図る上で不利が生じる。
これに対して、本実施例では、第１、第２の液体４４、４６の界面６２が平坦面を呈しているので、第２の液体４６が第１の液体４４と第１の電極４８の間に介在する現象がなく、したがって、第１の電極４８から印加される電圧が第２の液体４６によって邪魔されること無く第１の液体４４に印加されるため、第１の液体４４における電気毛管現象を確実に生じさせることができ、しぼり動作の安定化を図る上で有利となる。
また、第２の液体４６が位置する側面壁４２０４箇所に撥水膜６０を形成したため、第１の液体４４が撥水膜６０の箇所まで位置した場合には、撥水膜６０上で第１の液体４４の液面が円滑に動きやすいので、絞りの動作速度の高速化を図る上で有利となる。
また、第１の液体４４側の端面壁４２０２上に親水膜５４を形成したので、第１の液体４４が親水膜５４に対して良く濡れる。したがって、第２の液体４６が第１の液体４４側の端面壁４２０２にいったん接触した後でその端面壁４２０２から離れる際に、親水膜５４から第２の液体４６が離間しやすくなり、絞りの動作速度の高速化を図る上で有利となる。
【００１８】
次に、本実施例で用いた第１の液体４４および第２の液体４６について説明する。
比重と屈折率とが互いに異なる３種類の液体を混合することで第１の液体４４を得、本発明者は、それら３種類の液体の混合比を変えることで第１の液体４４の比重および屈折率をそれぞれ大きな範囲で変えられることを見出した。
例えば、２種類の液体を用いて第１の液体４４を得る場合から説明する。
２種類の液体として純水とエタノールとを用いて第１の液体４４を得、それらの混合比を変える。
図７に示すように、それらの混合比を変えていくと、第１の液体４４の比重と屈折率は、直線的にあるいは曲線的に変化していく。
また、２種類の液体として純水とエチレングリコールとを用いて第１の液体４４を得、それらの混合比を変える。
図８に示すように、それらの混合比を変えていくと、第１の液体４４の比重と屈折率は、直線的にあるいは曲線的に変化していく。
なお、純水の比重は１．０、屈折率は１．３３３であり、エタノールの比重は０．７８９、屈折率は１．３６１であり、エチレングリコールの比重は１．１１３、屈折率は１．４３０である。
【００１９】
これに対して、３種類の液体を用いて第１の液体４４を得、それらの混合比を変える。
例えば、３種類の液体として純水とエタノールとエチレングリコールとを用いて第１の液体４４を得、それらの混合比を変える。
図９に示すように、純水とエタノールとエチレングリコールの混合比を変えることで、純水とエタノールとエチレングリコールの３つの座標を結んだ三角形の大きな領域Ｒ内で第１の液体４４の比重と屈折率を変えることが可能である。
一方、図９には、市販された各種のシリコンオイルの比重および屈折率の座標が点在されている。
したがって、三角形の領域Ｒ内に点在する市販のシリコンオイルを第２の液体４６として使用し、純水とエタノールとエチレングリコールとを混合し比重および屈折率を上記のシリコンオイルと等しくした第１の液体４４を使用することができる。
【００２０】
本実施例では、第１の液体４４は、純水とエタノールとエチレングリコールを混合した液体にカーボンブラックが溶かされることで形成され、黒色を呈しており、０．１ｍｍ程度の厚さで光を遮光できるように形成され、光学素子の薄型化に有利となっている。
第１の液体４４の屈折率と第２の液体４６の屈折率を等しく形成すると、界面６２におけるレンズ効果の発生を防止でき、絞り動作を確実に行わせる上で有利となる。
また、エタノールを水に混合して第１の液体４４を形成すると、凝固点(融点)を下げることができ、寒冷地で凝固することを防止できるので、光学素子４０の寒冷地での使用が可能となる。
本実施例では、エタノールの凝固点は−１１４度であり、エチレングリコールの凝固点は−１３度であり、第１の液体４４の凝固点を−４０度以下とすることが可能である。
【００２１】
また、実施例では、第１の液体４４を、既存の比重が異なる３種類の液体を混合して用いるようにしたので、第１の液体の比重を、図９に領域Ｒで示すように、大きな範囲で変更できる。
すなわち、互いに比重が異なる２種類の液体を混合した場合、２種類の液体の混合比を変えることで得られる第１の液体の比重は、図９に示すように、それら液体の座標を結んだ直線の範囲内でしか変えることができない。
これに対して、３種類の液体を混合した場合、純水とエタノールとエチレングリコールの３つの座標を結んだ三角形の大きな領域Ｒ内で第１の液体４４の比重を変えることが可能となる。
したがって、第１の液体４４の比重と第２の液体４６の比重とを簡単に等しくでき、所望の特性を有する光学素子４０を簡単に製造することができる。
さらに、図９に示すように、比重とともに屈折率が異なる少なくとも３種類の液体、例えば、純水とエタノールとエチレングリコールを混合して第１の液体４４を得るようにしたので、第１の液体４４の比重と第２の液体４６の比重とを簡単に等しくできるとともに、同時に、第１の液体４４の屈折率と第２の液体４６の屈折率とを簡単に等しくでき、レンズ効果の発生を防止する上で有利となる。
【００２２】
また、実施例では、複数種類の液体として純水とエタノールとエチレングリコールとを用いて第１の液体４４を得る場合について説明したが、使用する複数種類の液体は純水とエタノールとエチレングリコールに限定されず、既存の各種の液体を選択することが可能である。
図１０、図１１を参照して説明する。
図１０は様々な種類の液体の比重および屈折率を示す図、図１１は用いる各種液体の比重および屈折率の数値を示す図である。
例えば、図１０に示すように、用いる液体としてＡ群、Ｂ群、Ｃ群、Ｄ群のものが挙げられ、各Ａ乃至Ｄ群に用いる液体の具体名を図１１に示す。
図１０に三角形の領域Ｒ１で示すように、３種類の液体として、Ａ群から選択した１つの液体の座標と、Ｂ群から選択した１つの液体の座標と、Ｃ群から選択した１つの液体の座標を結んだ三角形の大きな領域Ｒ１内で、それらの混合比を変えることで比重と屈折率を変えることが可能である。
また、図１０に三角形の領域Ｒ２で示すように、３種類の液体として、Ｂ群から選択した１つの液体の座標と、Ｃ群から選択した１つの液体の座標と、Ｄ群から選択した１つの液体の座標を結んだ三角形の大きな領域Ｒ２内で、それらの混合比を変えることで比重と屈折率を変えることが可能である。
すなわち、従来公知の様々な液体を選択し、それらの混合比を変えることで比重と屈折率を簡単に変えることが可能である。
【００２３】
なお、第１の液体に使用する液体の種類は３種類に限定されず、４種類以上であってもよい。
また、実施例では、第１の液体４４を、比重および屈折率が異なる複数種類の液体を混合することで、第２の液体４６と比重が等しくなるように形成する場合について説明したが、第２の液体４６を、比重および屈折率が異なる複数種類の液体を混合することで、第１の液体４４と比重が等しくなるように形成してもよい。
さらに、実施例では、単一のシリコンオイルを第２の液体４６として使用した場合について説明したが、シリコンオイル自体も屈折率や比重などの特性が異なるものが複数存在しており、所望の特性の一種類のシリコンオイルを選択し第２の液体４６として使用するようにしてもよく、あるいは、特性の異なる複数種類のシリコンオイルを選択し、それらの混合比を変えて所望の屈折率および比重とした後第２の液体４６として使用するようにしてもよい。
また、実施例では、第１の液体４４に直流電圧を印加することで電気毛管現象を発生させる場合について説明したが、第１の液体４４に印加する電圧は直流電圧に限定されるものではなく、交流電圧やパルス電圧、あるいは、ステップ状に増減する電圧など、どのような電圧を用いてもよく、要は第１の液体４４に電気毛管現象を発生させることができればよい。
【図面の簡単な説明】
【００２４】
【図１】実施例１における光学素子４０の構成を示す断面図である。
【図２】電気毛管現象の原理説明図であり、（Ａ）は電圧印加前の状態を示す図、（Ｂ）は電圧印加後の状態を示す図である。
【図３】光学素子４０に電圧が印加されていない状態を示す説明図である。
【図４】光学素子４０に第１の電圧Ｅ１が印加された状態を示す説明図である。
【図５】光学素子４０に第１の電圧よりも大きい値の第２の電圧Ｅ２が印加された状態を示す説明図である。
【図６】光学素子４０に第２の電圧よりも大きい値の第３の電圧Ｅ３が印加された状態を示す説明図である。
【図７】純水とエタノールの混合比と比重および屈折率の特性を示す線図である。
【図８】純水とエチレングリコールの混合比と比重および屈折率の特性を示す線図である。
【図９】純水とエタノールとエチレングリコールの比重および屈折率を示す図である。
【図１０】様々な種類の液体の比重および屈折率を示す図である。
【図１１】用いる各種液体の比重および屈折率の数値を示す図である。
【図１２】従来の光学素子の構成を示す図であり、（Ａ）は容器の厚さ方向の寸法が十分に確保された構成を示す図、（Ｂ）は容器の厚さ方向の寸法を縮小した場合において光の透過路を遮断した状態を示す図、（Ｃ）は容器の厚さ方向の寸法を縮小した場合において光の透過路を形成することができない状態を示す図である。
【符号の説明】
【００２５】
４０……光学素子、４２……容器、４２０２……端面壁、４２０４……側面壁、４４……第１の液体、４６……第２の液体、５８……親水膜、６０……撥水膜、６２……界面、６６……光の透過路。
【図１】
2006250977.tif 000003
【図２】
2006250977.tif 000004
【図３】
2006250977.tif 000005
【図４】
2006250977.tif 000006
【図５】
2006250977.tif 000007
【図６】
2006250977.tif 000008
【図７】
2006250977.tif 000009
【図８】
2006250977.tif 000010
【図９】
2006250977.tif 000011
【図１０】
2006250977.tif 000012
【図１１】
2006250977.tif 000013
【図１２】
2006250977.tif 000014